(57)【要約】【課題】給湯運転と暖房運転が可能なボイラ連結システムを提供する。【解決手段】ボイラ連結システムは、熱媒循環路及び湯水流通路に並列に接続された複数の熱源装置と、コントローラとを備える。複数の熱源装置のそれぞれは、バーナの燃焼熱によって熱媒を加熱する第１熱交換器と、一端が熱媒戻り管から分岐して第１熱交換器を介して他端が熱媒往き管に接続される熱媒加熱回路と、第１熱交換器をバイパスするように熱媒加熱回路に接続されるバイパス管と、熱媒回路においてバイパス管との接続部よりも第１熱交換器側に設けられた圧送装置と、接続部の少なくとも一方に設けられる流路切替弁と、バイパス管に設けられ、バイパス管を流通する熱媒と熱交換して給水管から供給される水を加熱する第２熱交換器と、一端が給水管から分岐して第２熱交換器を介して他端が出湯管に接続される湯水加熱回路と、を備える。【選択図】図１
2016125690.tif 000002
【特許請求の範囲】
【請求項１】
熱媒往き管と熱媒戻り管とを含む熱媒循環路と、給水管と出湯管とを含む湯水流通路と、前記熱媒循環路及び前記湯水流通路に並列に接続された複数の熱源装置と、コントローラとを備えるボイラ連結システムであって、
前記複数の熱源装置のそれぞれは、
バーナの燃焼熱によって熱媒を加熱する第１熱交換器と、
一端が前記熱媒戻り管から分岐して前記第１熱交換器を介して他端が前記熱媒往き管に接続される熱媒加熱回路と、
前記第１熱交換器をバイパスするように前記熱媒加熱回路に接続されるバイパス管と、
前記熱媒加熱回路において前記バイパス管との接続部よりも前記第１熱交換器側に設けられた圧送装置と、
前記接続部の少なくとも一方に設けられる流路切替弁と、
前記バイパス管に設けられ、前記バイパス管を流通する熱媒と熱交換して給水管から供給される水を加熱する第２熱交換器と、
一端が前記給水管から分岐して前記第２熱交換器を介して他端が前記出湯管に接続される湯水加熱回路と、を備え、
前記コントローラは、前記複数の熱源装置のそれぞれについて、
前記第１熱交換器を通過した熱媒の流路の接続先が前記熱媒往き管となるように前記流路切替弁を制御し、前記圧送装置を作動させ熱媒を前記第１熱交換器で加熱して前記熱媒往き管に供給する暖房運転と、
前記第１熱交換器を通過した熱媒の流路の接続先が前記バイパス管となるように前記流路切替弁を制御し、前記圧送装置を作動させ熱媒を前記第１熱交換器で加熱して前記出湯管に供給する給湯運転とを実行する、ボイラ連結システム。
【請求項２】
前記コントローラは、
給湯および／または暖房に要する熱量に基づいて前記複数の熱源装置のそれぞれの暖房運転または給湯運転について運転または停止を決定し、
暖房運転について運転が決定された前記熱源装置では、そのバイパス管への熱媒の流通を遮断し、その熱媒加熱回路と前記熱媒循環路との間で熱媒が流通するようにその流路切替弁を制御するとともに、その圧送装置を作動させ、
暖房運転の停止が決定された前記熱源装置では、その熱媒加熱回路と前記熱媒循環路との間の熱媒の流通を遮断し、そのバイパス管へ熱媒が流通するようにその流路切替弁を制御するとともに、その圧送装置を停止させる、請求項１に記載のボイラ連結システム。
【請求項３】
前記複数の熱源装置のそれぞれの湯水加熱回路に設けられた開閉弁と、
前記湯水流通路を流れる水の流量を検知可能な流量センサをさらに備えており、
前記コントローラは、
暖房運転の停止が決定された前記熱源装置のうちの少なくとも１台においては、その開閉弁を開放するように制御し、
前記流量センサが前記湯水流通路における水の流通を検知したときに、暖房運転の停止が決定されて開閉弁が開放された熱源装置において給湯運転を実行する、請求項１または２に記載のボイラ連結システム。
【発明の詳細な説明】
【技術分野】
【０００１】
本発明は、複数の熱源で加熱した熱媒によって給湯および／または暖房を行うボイラ連結システムに関する。
【背景技術】
【０００２】
複数の熱源装置でバーナの燃焼熱によって湯水を加熱して給湯を行う給湯システムが知られている。例えば、文献１には、複数の給湯器を備えた併設設置型給湯システムが開示されている。
【先行技術文献】
【特許文献】
【０００３】
【特許文献１】特開２００５−６１６６６号公報
【発明の概要】
【発明が解決しようとする課題】
【０００４】
文献１には、複数の給湯器を備えた併設設置型給湯システムにおいて、複数の給湯器の使用度合の均一化を図る技術が記載されているに過ぎない。本願は、給湯用水の供給と、暖房用熱媒の供給を行うことが可能なボイラ連結システムを提供することを目的とする。
【課題を解決するための手段】
【０００５】
本願が開示するボイラ連結システムは、熱媒往き管と熱媒戻り管とを含む熱媒循環路と、給水管と出湯管とを含む湯水流通路と、熱媒循環路及び湯水流通路に並列に接続された複数の熱源装置と、コントローラとを備える。複数の熱源装置のそれぞれは、バーナの燃焼熱によって熱媒を加熱する第１熱交換器と、一端が熱媒戻り管から分岐して第１熱交換器を介して他端が熱媒往き管に接続される熱媒加熱回路と、第１熱交換器をバイパスするように熱媒加熱回路に接続されるバイパス管と、熱媒回路においてバイパス管との接続部よりも第１熱交換器側に設けられた圧送装置と、接続部の少なくとも一方の設けられる流路切替弁と、バイパス管に設けられ、バイパス管を流通する熱媒と熱交換して給水管から供給される水を加熱する第２熱交換器と、一端が給水管から分岐して第２熱交換器を介して他端が出湯管に接続される湯水加熱回路と、を備える。コントローラは、複数の熱源装置のそれぞれについて、第１熱交換器を通過した熱媒の流路の接続先が熱媒往き管となるように流路切替弁を制御し、圧送装置を作動させ熱媒を第１熱交換器で加熱して熱媒往き管に供給する暖房運転と、第１熱交換器を通過した熱媒の流路の接続先がバイパス管となるように流路切替弁を制御し、圧送装置を作動させ熱媒を第１熱交換器で加熱して出湯管に供給する給湯運転とを実行する。
【０００６】
上記のボイラ連結システムは、それぞれの熱源装置内に、熱媒を加熱する第１熱交換器と、熱媒加熱回路と、バイパス管と、圧送装置と、流路切替弁と、水を加熱する第２熱交換器と、湯水加熱回路と、を備える。バイパス管は、第１熱交換器をバイパスするように熱媒加熱回路に接続される。流路切替弁は、熱媒加熱回路がバイパス管と接続する接続部の少なくとも一方に設けられる。熱源装置において、コントローラが、第１熱交換器を通過した熱媒の流路の接続先が熱媒往き管となるように流路切替弁を制御すると、熱媒は、熱媒戻り管から、第１熱交換器を含む熱媒加熱回路を流通して、熱媒往き管へ循環する。このように流路を切替えた状態で、コントローラが、圧送装置を作動させれば、熱媒戻り管から熱源装置に流入する熱媒を第１熱交換器で加熱し、熱媒往き管に戻すことができ、暖房運転を行うことができる。また、熱源装置において、コントローラが、第１熱交換器を通過した熱媒の流路の接続先がバイパス管となるように流路切替弁を制御すると、熱媒は、第１熱交換器と、熱媒加熱回路と、バイパス管に設けられた第２熱交換器とを循環する。このように流路を切替えた状態で、コントローラが、第１熱交換器で熱媒を加熱し、圧送装置を作動させれば、給水管から熱源装置に流入する水を加熱し、出湯管に戻すことができ、給湯運転を行うことができる。コントローラは、複数の熱源装置のうちの少なくとも１つにおいて、バイパス管への熱媒の流通を遮断し、熱媒加熱回路と熱媒循環路との間で熱媒が流通するように流路切替弁を制御することで、暖房運転を行うことができる。また、複数の熱源装置のうちの少なくとも１つにおいて、熱媒加熱回路と熱媒循環路との間の熱媒の流通を遮断し、そのバイパス管へ熱媒が流通するように流路切替弁を制御することで、給湯運転を行うことができる。
【０００７】
上記のボイラ連結システムでは、コントローラは、給湯および／または暖房に要する熱量に基づいて複数の熱源装置のそれぞれの暖房運転または給湯運転について運転または停止を決定してもよい。この場合、コントローラは、暖房運転について運転が決定された熱源装置では、そのバイパス管への熱媒の流通を遮断し、その熱媒加熱回路と熱媒循環路との間で熱媒が流通するようにその流路切替弁を制御するとともに、その圧送装置を作動させ、暖房運転の停止が決定された熱源装置では、その熱媒加熱回路と熱媒循環路との間の熱媒の流通を遮断し、そのバイパス管へ熱媒が流通するようにその流路切替弁を制御するとともに、その圧送装置を停止させる制御を行ってもよい。これによれば、暖房運転と給湯運転とを切替える流路切替弁の制御のみで、停止が決定された熱源装置の第１熱交換器に熱媒循環路から熱媒が流入しないようにすることができる。その結果、熱媒を加熱する必要がない熱源装置において第１熱交換器の配管に負荷がかからず、配管が劣化することを抑制できる。すなわち、停止が決定された熱源装置の第１熱交換器に熱媒が流れることを防止するために、新たに開閉弁等を設置する必要がない。
【０００８】
上記のボイラ連結システムでは、複数の熱源装置のそれぞれの湯水加熱回路に設けられた開閉弁と、湯水流通路を流れる水の流量を検知可能な流量センサをさらに備えていてもよい。この場合、コントローラは、熱媒加熱運転の停止が決定された熱源装置のうちの少なくとも１台においては、その開閉弁を開放するように制御し、流量センサが湯水流通路における水の流通を検知したときに、暖房運転の停止が決定されて開閉弁が開放された熱源装置において給湯運転を実行してもよい。これによれば、流量センサが給湯流水路における水の流通を検知した場合に、暖房運転が停止している熱源装置の加熱能力を全て湯水の加熱に利用できるので、速やかに給湯を行うことができる。
【図面の簡単な説明】
【０００９】
【図１】実施例に係るボイラ連結システムの構成図。
【図２】実施例に係るボイラ連結システムの構成図であり、暖房運転時の制御の一例を説明する図である。
【図３】実施例に係るボイラ連結システムの構成図であり、暖房運転時に給湯運転を併せて行う制御の一例を説明する図である。
【発明を実施するための形態】
【００１０】
（実施例）
図１に示すように、実施例に係るボイラ連結システム１は、熱媒戻り管３１と、熱媒往き管３３と、給水管３５と、出湯管３６と、５つの熱源装置１００，２００，３００，４００，５００と、混水器２０と、コントローラ１０とを備える。熱源装置１００，２００，３００，４００，５００は、熱媒循環路（３１，３３）と湯水流通路（３５，３６）との間に並列に接続されている。給水管３５には、給水管３５を流れる水の流量を検知可能な流量センサ４０が設置されている。
【００１１】
熱源装置１００は、バーナ１０１と、バーナ１０１の燃焼熱によって熱媒を加熱する第１熱交換器１０３と、第１熱交換器１０３の流体入口と熱媒戻り管３１とに接続された熱媒戻り分岐管１２１と、第１熱交換器１０３の流体出口と熱媒往き管３３とに接続された熱媒往き分岐管１２３と、熱媒戻り分岐管１２１に設けられたポンプ１０７（圧送装置の一例である）とを備えている。熱媒戻り分岐管１２１と、熱媒往き分岐管１２３とは、熱媒加熱回路の一例である。熱媒戻り管３１と、熱媒往き管３３とは熱媒循環路の一例である。熱媒加熱回路は、熱媒戻り分岐管１２１が熱媒戻り管３１から分岐して第１熱交換器１０３に接続し、第１熱交換器１０３を介して熱媒往き分岐管１２３が熱媒往き管３３に接続されている。
【００１２】
熱源装置１００は、さらに、バイパス管１０９と、第２熱交換器１３０と、湯水加熱回路１２５とを備えている。バイパス管１０９は、第１熱交換器１０３をバイパスするように、熱媒戻り分岐管１２１と熱媒往き分岐管１２３とに接続される。第２熱交換器１３０は、バイパス管１０９に設けられている。湯水加熱回路１２５は、一端が給水管３５から分岐して、第２熱交換器１３０を介して他端が出湯管３６に接続されている。第２熱交換器１３０は、バイパス管１０９を流通する熱媒と熱交換して給水管３５から供給される水を加熱する。ポンプ１０７は、バイパス管１０９と熱媒戻り分岐管１２１との接続部よりも第１熱交換器１０３側に設けられている。
【００１３】
熱源装置１００は、さらに、湯水加熱回路１２５において、給水管３５と第２熱交換器１３０との間に設けられた開閉弁１１５と、熱媒加熱回路において、熱媒往き分岐管１２３とバイパス管１０９との接続部に設けられた三方弁１１１とを備えている。三方弁１１１を切替えることによって、第１熱交換器１０３から流出する熱媒の行き先を、バイパス管１０９と熱媒往き管３３とのいずれかに切替えすることができる。第１熱交換器１０３から流出する熱媒の行き先が熱媒往き管３３となるように三方弁１１１を制御すると、熱媒は、熱媒戻り管３１から熱媒戻り分岐管１２１を通過して第１熱交換器１０３に流入する。第１熱交換器１０３から流出する熱媒は、熱媒往き分岐管１２３を通過し熱媒往き管３３に流出する。第１熱交換器１０３から流出する熱媒の行き先がバイパス管１０９となるように三方弁１１１を制御すると、熱媒は、第１熱交換器１０３と、第２熱交換器１３０とを循環する。
【００１４】
熱媒は、混水器２０から熱媒戻り管３１に流出し、熱媒戻り管３１から、熱媒戻り分岐管１２１に流入する。第１熱交換器１０３から流出する熱媒の行き先が熱媒往き分岐管１２３となるように三方弁１１１が制御され、ポンプ１０７が作動している場合には、熱媒は、熱媒戻り分岐管１２１から第１熱交換器１０３に流入する。バーナ１０１が燃焼している場合には、第１熱交換器１０３において熱媒が加熱されて、熱媒往き分岐管１２３を介して熱媒往き管３３に流出する。
【００１５】
給湯用の水は、開閉弁１１５が開放している場合には、給水管３５から第２熱交換器１３０に流入する。第１熱交換器１０３から流出する熱媒の行き先がバイパス管１０９となるように三方弁１１１が制御され、ポンプ１０７が作動している場合には、熱媒は、第１熱交換器１０３、三方弁１１１、バイパス管１０９の間を循環する。バーナ１０１が燃焼している場合には、第１熱交換器１０３において加熱された熱媒が、バイパス管１０９に設けられた第２熱交換器１３０に流入する。第２熱交換器１３０を流れる熱媒によって、給水管３５から供給される水を加熱することができる。第２熱交換器１３０で加熱された水は、出湯管３６に流出する。
【００１６】
熱源装置２００，３００，４００，５００は、いずれも、熱源装置１００と同様の構成を有しているため、熱源装置２００，３００，４００，５００の備える構成については、それぞれ、熱源装置１００の備える各構成の１００番台の参照番号をそれぞれ２００番台，３００番台，４００番台，５００番台に読み替えることによって説明を省略する。
【００１７】
熱媒は、混水器２０から熱媒戻り管３１に流出し、熱媒戻り管３１から、それぞれ熱媒戻り分岐管１２１，２２１，３２１，４２１，５２１を介して熱源装置１００，２００，３００，４００，５００内に流入し、第１熱交換器１０３，２０３，３０３，４０３，５０３内を流通して、熱媒往き分岐管１２３，２２３，３２３，４２３，５２３から熱媒往き管３３に流出する。熱源装置１００，２００，３００，４００，５００のいずれかが暖房運転状態の場合には、熱媒往き管３３から混水器２０に流入する熱媒は、混水器２０から熱媒戻り管３１に流出する熱媒より高温である。暖房端末を循環する熱媒は、暖房端末戻り管４１から混水器２０に流入し、混水器２０内を通過して、暖房端末往き管４３から流出する。混水器２０では、熱源装置１００，２００，３００，４００，５００を循環する熱媒によって、暖房端末を循環する熱媒が加熱される。
【００１８】
コントローラ１０は、給湯および／または暖房に要する熱量に基づいて熱源装置１００，２００，３００，４００，５００のそれぞれの暖房運転または給湯運転について運転または停止を決定する。本実施例では、熱源装置１００，２００を停止し、熱源装置３００，４００，５００を運転して暖房運転を行う場合にコントローラ１０が行う制御と、この状態で給湯需要が発生した場合にコントローラ１０が行う制御とを説明する。
【００１９】
コントローラ１０は、暖房運転に必要な熱量に基づいて、熱源装置１００，２００を停止し、熱源装置３００，４００，５００を運転することを決定すると、図２に示すように、運転が決定された熱源装置３００，４００，５００の三方弁３１１，４１１，５１１を制御して、それぞれの第１熱交換器１０３から流出する熱媒の行き先が熱媒往き管３３となるように、熱媒往き分岐管３２３，４２３，５２３を介して第１熱交換器１０３と熱媒往き管３３とを接続する。また、コントローラ１０は、ポンプ３０７，４０７，５０７を作動させ、バーナ３０１，４０１，５０１を点火し、燃焼させる。これによって、熱媒戻り管３１から、熱媒戻り分岐管３２１，４２１，５２１を介して第１熱交換器３０３，４０３，５０３に熱媒が流入し、バーナ３０１，４０１，５０１によって熱媒が加熱される。加熱された熱媒は、それぞれ、熱媒往き分岐管３２３，４２３，５２３を介して熱媒往き管３３に流出する。加熱された熱媒は、熱媒往き管３３から混水器２０に流入し、暖房端末を循環する熱媒を加熱する。また、コントローラ１０は、開閉弁３１５，４１５，５１５を閉止した状態に制御する。
【００２０】
コントローラ１０は、停止を決定した熱源装置１００，２００の三方弁１１１，２１１を制御して、それぞれの第１熱交換器１０３から流出する熱媒の行き先がバイパス管１０９，２０９となるようにする。ポンプ１０７，２０７は停止した状態であり、熱媒戻り管３１および熱媒往き管３３と熱源装置１００，２００との間に熱媒の流出入はない。また、熱源装置１００，２００内の配管で熱媒が循環することもない。また、コントローラ１０は、開閉弁１１５，２１５を開放した状態に制御する。
【００２１】
次に、この状態で給湯要求が生じた場合にコントローラ１０が行う制御を図３を用いて説明する。カランが開放される等により、給水管３５と出湯管３６に給湯用の水が流れる。開閉弁１１５，２１５は開放した状態であるため、図３に示すように、給水管３５を流れる水は、それぞれ開閉弁１１５，２１５が設けられた湯水加熱回路１２５，２２５を介して第２熱交換器１３０，２３０に流入する。コントローラ１０は、流量センサ４０が給水管３５における水の流通を検知した場合（例えば、流量センサ４０から、所定値以上の水の流量を示す検知値が入力された場合）に、ポンプ１０７，２０７を作動させ、バーナ１０１，２０１を点火し、燃焼させる。これによって、熱媒は、熱源装置１００内で、第１熱交換器１０３、三方弁１１１、バイパス管１０９の間を循環する。バーナ１０１の燃焼熱によって、第１熱交換器１０３において熱媒が加熱され、バイパス管１０９に設けられた第２熱交換器１３０を流通する。第２熱交換器１３０を流通する熱媒によって、給水管３５から供給される水が加熱される。また、熱媒は、熱源装置２００内で、第１熱交換器２０３、三方弁２１１、バイパス管２０９の間を循環する。バーナ２０１の燃焼熱によって、第１熱交換器２０３において熱媒が加熱され、バイパス管２０９に設けられた第２熱交換器２３０を流通する。第２熱交換器２３０を流通する熱媒によって、給水管３５から供給される水が加熱される。第２熱交換器１３０，２３０で加熱された水は、湯水加熱回路１２５，２２５の下流側を介して出湯管３６に流出する。ボイラ連結システム１によれば、暖房中に給湯需要が発生した場合に、停止中の熱源装置１００，２００の加熱能力を全て湯水の加熱に利用できるため、速やかに給湯を行うことができる。
【００２２】
上記のとおり、実施例のボイラ連結システム１は、第１熱交換器（１０３等）から流出する熱媒の往き先を、熱媒往き管（３３）とバイパス管（１０９等）とのいずれかに切替え可能な三方弁（１１１等）を備えている。第１熱交換器（１０３等）から流出する熱媒の往き先が熱媒往き管（３３）となるようにこの三方弁（１１１等）を制御すると、熱媒は第１熱交換器（１０３等）と、熱媒戻り管３１および熱媒往き管３３とを循環する。第１熱交換器（１０３等）から流出する熱媒の往き先がバイパス管（１０９等）となるように三方弁（１１１等）を制御すると、熱媒は第１熱交換器（１０３等）と第２熱交換器（１３０等）とを循環する。コントローラ１０は、暖房運転の停止が決定された熱源装置１００，２００では、第１熱交換器（１０３等）から流出する熱媒の往き先がバイパス管１０９，２０９となるように三方弁１１１，２１１を制御する。これによって、停止が決定された熱源装置１００，２００では、熱媒は、第１熱交換器１０３，２０３と第２熱交換器１３０，２３０とを循環し、熱媒戻り分岐管１２１，２２１から第１熱交換器１０３，２０３への熱媒の流れは停止する。上記のボイラ連結システム１によれば、暖房運転と給湯運転とを切替える際に用いる三方弁１１１，２１１の制御のみで、停止が決定された熱源装置１００，２００において、第１熱交換器１０３，２０３に熱媒戻り管３１から熱媒が流入することを停止することができる。その結果、熱媒を加熱する必要がない熱源装置１００，２００において、第１熱交換器１０３，２０３の配管に負荷がかからず、配管が劣化することを抑制できる。上記のボイラ連結システム１では、停止が決定された熱源装置１００，２００の第１熱交換器１０３，２０３に熱媒が流れることを防止するために、新たに開閉弁を設置する必要がない。
【００２３】
また、上記のボイラ連結システム１では、コントローラ１０は、運転が決定された熱源装置３００，４００，５００では、その開閉弁３１５，４１５，５１５を閉止し、停止が決定された熱源装置１００，２００では、その開閉弁１１５，２１５を開放するように制御する。この状態で給湯需要が発生し、給水管３５に水が流通すると、湯水加熱回路１２５，２２５には水が流通する一方で、湯水加熱回路３２５，４２５，５２５には水は流通しない。コントローラ１０は、流量センサ４０が給水管３５における水の流通を検知した場合に、ポンプ１０７，２０７を作動させ、バーナ１０１，２０１を点火し、燃焼させる制御を行うことで、熱源装置１００，２００を利用して、速やかに給湯を行うことができる。
【００２４】
上記の実施例では、圧送装置としてのポンプ（１０７等）がバイパス管１０９と熱媒戻り分岐管１２１との接続部よりも第１熱交換器（１０３等）側に設置されている場合を例示して説明したが、バイパス管１０９と熱媒往き分岐管１２３との接続部よりも第１熱交換器（１０３等）側に圧送装置を設置してもよい。また、上記の実施例では、三方弁（１１１等）は、熱媒往き分岐管と（１２３等）とバイパス管（１０９等）との接続部に設けられ、第１熱交換器１０３から流出する熱媒の行き先を、熱媒往き管（３３）とバイパス管（１０９等）とのいずれかに切替え可能な三方弁（１１１等）であったが、これに限定されない。三方弁を熱媒戻り分岐管（１２１等）とバイパス管（１０９等）との接続部に設けて、三方弁（１１１等）によって、第１熱交換器１０３から流出する熱媒の行き先を、熱媒往き管（３３等）と、バイパス管（１０９等）とのいずれかに切替えるものであってもよい。また、上記の実施例では、湯水加熱回路（１２５等）と給水管（３５）との間に開閉弁（１１５等）を設置した例を挙げて説明したが、これに限定されない。例えば、湯水加熱回路（１２５等）と出湯管（３６）との間に開閉弁を設けてもよい。
【００２５】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００２６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２７】
１：ボイラ連結システム
１０：コントローラ
２０：混水器
３１：熱媒戻り管
３３：熱媒往き管
３５：給水管
３６：出湯管
４０：流量センサ
１００，２００，３００，４００，５００：熱源装置
１０１，２０１，３０１，４０１，５０１：バーナ
１０３，２０３，３０３，４０３，５０３：第１熱交換器
１０７，２０７，３０７，４０７，５０７：ポンプ
１０９，２０９，３０９，４０９，５０９：バイパス管
１１１，２１１，３１１，４１１，５１１：三方弁
１１５，２１５，３１５，４１５，５１５：開閉弁
１２１，２２１，３２１，４２１，５２１：熱媒戻り分岐管
１２３，２２３，３２３，４２３，５２３：熱媒往き分岐管
１２５，２２５，３２５，４２５，５２５：湯水加熱回路
１３０，２３０，３３０，４３０，５３０：第２熱交換器
【図１】
2016125690.tif 000003
【図２】
2016125690.tif 000004
【図３】
2016125690.tif 000005